(57)【要約】【課題】  トレイに装着されるディスク状記録媒体の盗難及びトレイへの不必要なディスク状記録媒体の装着を防止する。【解決手段】  トレイ挿脱口６ａを有する装置本体６と、装置本体から引き出された引出位置と装置本体に収納された収納位置との間で移動されディスク状記録媒体１００が装着されるトレイ７と、トレイの移動方向に貫通された挿通部８ａを有しトレイにおける引出位置側の端部に取り付けられトレイが収納位置に移動されたときにトレイ挿脱口を閉塞するパネル８と、装置本体に連結されパネルの挿通部から引出位置側へ突出可能とされ引出位置側へ突出された状態において移動規制体１１が取り付けられる連結部材１０とを設け、移動規制体によってトレイの収納位置から引出位置への移動が規制されてトレイに対するディスク状記録媒体の取出及び装着が不能とされるようにした。【選択図】        図６
2011040113.tif 000002
【特許請求の範囲】
【請求項１】
トレイ挿脱口を有する装置本体と、
前記装置本体から引き出された引出位置と前記装置本体に収納された収納位置との間で前記装置本体に対して移動されると共にディスク状記録媒体が装着されるトレイと、
前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、
前記装置本体に連結され前記パネルの挿通部から前記引出位置側へ突出可能とされると共に前記挿通部から前記引出位置側へ突出された状態において移動規制体が取り付けられる連結部材とを備え、
前記移動規制体によって前記トレイの前記収納位置から前記引出位置への移動が規制されて前記トレイに対する前記ディスク状記録媒体の取出及び装着が不能とされるようにした
ディスクドライブ装置。
【請求項２】
前記装置本体に前記トレイを前記収納位置から前記引出位置へ向けて移動させる駆動モーターを設け、
前記駆動モーターによって移動される前記トレイの移動量が前記収納位置から前記引出位置までの移動量より小さくされ、
前記移動規制体によって前記収納位置から前記引出位置への移動が規制されたときの前記トレイの移動量を、前記駆動モーターによって移動される前記トレイの移動量より大きくした
請求項１に記載のディスクドライブ装置。
【請求項３】
前記連結部材を前記トレイの移動方向と同じ方向へ移動可能とし、
前記連結部材を前記パネルの挿通部から前記引出位置側へ突出されない非突出位置と前記挿通部から前記引出位置側へ突出される突出位置との間で移動させるようにした
請求項１に記載のディスクドライブ装置。
【請求項４】
トレイ挿脱口と連結部を有する装置本体と、
前記装置本体から引き出された引出位置と前記装置本体に収納された収納位置との間で前記装置本体に対して移動されると共にディスク状記録媒体が装着されるトレイと、
取付部を有すると共に前記トレイにおける前記引出位置側の端部に取り付けられ前記トレイが前記収納位置に移動されたときに前記トレイ挿脱口を閉塞するパネルとを備え、
前記装置本体の連結部と前記トレイの取付部とが移動規制体によって連結され、
前記移動規制体によって前記トレイの前記収納位置から前記引出位置への移動が規制されて前記トレイに対する前記ディスク状記録媒体の取出及び装着が不能とされるようにした
ディスクドライブ装置。
【請求項５】
前記装置本体に前記トレイを前記収納位置から前記引出位置へ向けて移動させる駆動モーターを設け、
前記駆動モーターによって移動される前記トレイの移動量が前記収納位置から前記引出位置までの移動量より小さくされ、
前記移動規制体によって前記収納位置から前記引出位置への移動が規制されたときの前記トレイの移動量を、前記駆動モーターによって移動される前記トレイの移動量より大きくした
請求項４に記載のディスクドライブ装置。
【請求項６】
前記パネルの取付部として取付孔を形成した
請求項４に記載のディスクドライブ装置。
【請求項７】
機器本体と該機器本体に組み付けられたディスクドライブ装置とを備え、
前記ディスクドライブ装置が、
トレイ挿脱口を有する装置本体と、
前記装置本体から引き出された引出位置と前記装置本体に収納された収納位置との間で前記装置本体に対して移動されると共にディスク状記録媒体が装着されるトレイと、
前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、
前記装置本体に連結され前記パネルの挿通部から前記引出位置側へ突出可能とされると共に前記挿通部から前記引出位置側へ突出された状態において移動規制体が取り付けられる連結部材とを備え、
前記移動規制体によって前記トレイの前記収納位置から前記引出位置への移動が規制されて前記トレイに対する前記ディスク状記録媒体の取出及び装着が不能とされるようにした
電子機器。
【請求項８】
機器本体と該機器本体に組み付けられたディスクドライブ装置とを備え、
前記ディスクドライブ装置が、
トレイ挿脱口と連結部を有する装置本体と、
前記装置本体から引き出された引出位置と前記装置本体に収納された収納位置との間で前記装置本体に対して移動されると共にディスク状記録媒体が装着されるトレイと、
取付部を有すると共に前記トレイにおける前記引出位置側の端部に取り付けられ前記トレイが前記収納位置に移動されたときに前記トレイ挿脱口を閉塞するパネルとを備え、
前記装置本体の連結部と前記パネルの取付部とが移動規制体によって連結され、
前記移動規制体によって前記トレイの前記収納位置から前記引出位置への移動が規制されて前記トレイに対する前記ディスク状記録媒体の取出及び装着が不能とされるようにした
電子機器。
【請求項９】
連結部が設けられた機器本体と該機器本体に組み付けられたディスクドライブ装置とを備え、
前記ディスクドライブ装置が、
トレイ挿脱口を有する装置本体と、
前記装置本体から引き出された引出位置と前記装置本体に収納された収納位置との間で前記装置本体に対して移動されると共にディスク状記録媒体が装着されるトレイと、
取付部を有すると共に前記トレイにおける前記引出位置側の端部に取り付けられ前記トレイが前記収納位置に移動されたときに前記トレイ挿脱口を閉塞するパネルとを備え、
前記機器本体の連結部と前記パネルの取付部とが移動規制体によって連結され、
前記移動規制体によって前記トレイの前記収納位置から前記引出位置への移動が規制されて前記トレイに対する前記ディスク状記録媒体の取出及び装着が不能とされるようにした
電子機器。
【請求項１０】
前記装置本体に前記トレイを前記収納位置から前記引出位置へ向けて移動させる駆動モーターを設け、
前記駆動モーターによって移動される前記トレイの移動量が前記収納位置から前記引出位置までの移動量より小さくされ、
前記移動規制体によって前記収納位置から前記引出位置への移動が規制されたときの前記トレイの移動量を、前記駆動モーターによって移動される前記トレイの移動量より大きくした
請求項９に記載の電子機器。
【請求項１１】
前記パネルの取付部として取付孔を形成した
請求項９に記載の電子機器。
【請求項１２】
前記機器本体の連結部として連結孔を形成した
請求項９に記載の電子機器。
【発明の詳細な説明】
【技術分野】
【０００１】
本発明はディスクドライブ装置及び電子機器についての技術分野に関する。詳しくは、移動規制体によってトレイの装置本体に対する収納位置から引出位置への移動を規制してトレイに装着されるディスク状記録媒体の盗難等を防止する技術分野に関する。
【背景技術】
【０００２】
パーソナルコンピューターや音響機器等の各種の電子機器には、ＣＤ（Compact Disc）やＤＶＤ（Digital Versatile Disc）等のディスク状記録媒体に対して情報信号の記録若しくは再生又はこれらの双方を行うディスクドライブ装置が設けられているものがある。
【０００３】
このようなディスクドライブ装置には、ディスク状記録媒体がディスク挿入口から挿入されてローディングされる所謂スロットイン方式と、ディスク状記録媒体が装置本体から引き出されたトレイに装着され該トレイが装置本体の内部に挿入されてディスク状記録媒体がローディングされる所謂トレー方式とがある。
【０００４】
上記したトレー方式のディスクドライブ装置を備えた電子機器にあっては、トレーが装置本体から取外可能であるため、第三者にトレーを持ち去られて盗難されるおそれがある。
【０００５】
そこで、従来の電子機器には、第三者のトレーの持ち去りによる盗難を防止するために、必要に応じてキーユニットを用いて施錠を行い、トレーの装置本体からの取り外しができないようにされたものがある（例えば、特許文献１参照）。
【０００６】
【特許文献１】特許３３２４５３１号公報
【発明の開示】
【発明が解決しようとする課題】
【０００７】
ところが、特許文献１に記載された電子機器にあっては、キーユニットによって装置本体からのトレイの取り外しは防止することができるが、キーユニットの装置本体に対する取付位置によっては、キーユニットによって引出が規制される位置までトレイを装置本体から引き出すことが可能となる。
【０００８】
従って、トレイの装置本体からの引出位置によっては、トレイに装着されているディスク状記録媒体をトレイから取り出すことが可能となり、トレイの盗難は防止されるがディスク状記録媒体の盗難を防止することができなくなる。
【０００９】
また、トレイの装置本体からの引出位置によっては、トレイに、例えば、ウイルスに感染しているディスク状記録媒体を装着することが可能となり、この場合には、電子機器のプログラムがウイルスに感染してしまうと言う事態が生じるおそれがある。
【００１０】
そこで、本発明ディスクドライブ装置及び電子機器は、上記した問題点を克服し、トレイに装着されるディスク状記録媒体の盗難及びトレイへの不必要なディスク状記録媒体の装着を防止することを課題とする。
【課題を解決するための手段】
【００１１】
ディスクドライブ装置は、上記した課題を解決するために、トレイ挿脱口を有する装置本体と、前記装置本体から引き出された引出位置と前記装置本体に収納された収納位置との間で前記装置本体に対して移動されると共にディスク状記録媒体が装着されるトレイと、前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、前記装置本体に連結され前記パネルの挿通部から前記引出位置側へ突出可能とされると共に前記挿通部から前記引出位置側へ突出された状態において移動規制体が取り付けられる連結部材とを備え、前記移動規制体によって前記トレイの前記収納位置から前記引出位置への移動が規制されて前記トレイに対する前記ディスク状記録媒体の取出及び装着が不能とされるようにしたものである。
【００１２】
従って、ディスクドライブ装置にあっては、連結部材に取り付けられた移動規制体によってトレイに対するディスク状記録媒体の取出及び装着が可能な位置までの装置本体からのトレイの引出が規制される。
【００１３】
上記したディスクドライブ装置において、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくすることが望ましい。
【００１４】
移動規制体によって引出位置への移動が規制されたときのトレイの移動量を、駆動モーターによって移動されるトレイの移動量より大きくすることにより、駆動モーターに対して移動規制体による負荷が生じない。
【００１５】
上記したディスクドライブ装置において、前記連結部材を前記トレイの移動方向と同じ方向へ移動可能とし、前記連結部材を前記パネルの挿通部から前記引出位置側へ突出されない非突出位置と前記挿通部から前記引出位置側へ突出される突出位置との間で移動させるようにすることが望ましい。
【００１６】
連結部材を非突出位置と突出位置の間で移動させることにより、移動規制体の取付が必要ない場合に連結部材を非突出位置に移動させることが可能となる。
【００１７】
別のディスクドライブ装置は、トレイ挿脱口と連結部を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記装置本体の連結部と前記トレイの取付部とが移動規制体によって連結され、前記移動規制体によって前記トレイの前記収納位置から前記引出位置への移動が規制されて前記トレイに対する前記ディスク状記録媒体の取出及び装着が不能とされるようにしたものである。
【００１８】
従って、別のディスクドライブ装置にあっては、連結部材に取り付けられた移動規制体によってトレイに対するディスク状記録媒体の取出及び装着が可能な位置までの装置本体からのトレイの引出が規制される。
【００１９】
上記した別のディスクドライブ装置において、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくすることが望ましい。
【００２０】
移動規制体によって引出位置への移動が規制されたときのトレイの移動量を、駆動モーターによって移動されるトレイの移動量より大きくすることにより、駆動モーターに対して移動規制体による負荷が生じない。
【００２１】
上記した別のディスクドライブ装置において、前記パネルの取付部として取付孔を形成することが望ましい。
【００２２】
パネルの取付部として取付孔を形成することにより、取付部がパネルから引出位置側へ突出されない。
【００２３】
電子機器は、機器本体と該機器本体に組み付けられたディスクドライブ装置とを備え、前記ディスクドライブ装置が、トレイ挿脱口を有する装置本体と、前記装置本体から引き出された引出位置と前記装置本体に収納された収納位置との間で前記装置本体に対して移動されると共にディスク状記録媒体が装着されるトレイと、前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、前記装置本体に連結され前記パネルの挿通部から前記引出位置側へ突出可能とされると共に前記挿通部から前記引出位置側へ突出された状態において移動規制体が取り付けられる連結部材とを備え、前記移動規制体によって前記トレイの前記収納位置から前記引出位置への移動が規制されて前記トレイに対する前記ディスク状記録媒体の取出及び装着が不能とされるようにしたものである。
【００２４】
従って、電子機器にあっては、連結部材に取り付けられた移動規制体によってトレイに対するディスク状記録媒体の取出及び装着が可能な位置までの装置本体からのトレイの引出が規制される。
【００２５】
別の電子機器は、機器本体と該機器本体に組み付けられたディスクドライブ装置とを備え、前記ディスクドライブ装置が、トレイ挿脱口と連結部を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記装置本体の連結部と前記パネルの取付部とが移動規制体によって連結され、前記移動規制体によって前記トレイの前記収納位置から前記引出位置への移動が規制されて前記トレイに対する前記ディスク状記録媒体の取出及び装着が不能とされるようにしたものである。
【００２６】
従って、別の電子機器にあっては、連結部材に取り付けられた移動規制体によってトレイに対するディスク状記録媒体の取出及び装着が可能な位置までの装置本体からのトレイの引出が規制される。
【００２７】
また別の電子機器は、連結部が設けられた機器本体と該機器本体に組み付けられたディスクドライブ装置とを備え、前記ディスクドライブ装置が、トレイ挿脱口を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記機器本体の連結部と前記パネルの取付部とが移動規制体によって連結され、前記移動規制体によって前記トレイの前記収納位置から前記引出位置への移動が規制されて前記トレイに対する前記ディスク状記録媒体の取出及び装着が不能とされるようにしたものである。
【００２８】
従って、また別の電子機器にあっては、連結部材に取り付けられた移動規制体によってトレイに対するディスク状記録媒体の取出及び装着が可能な位置までの装置本体からのトレイの引出が規制される。
【００２９】
上記したまた別の電子機器において、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくすることが望ましい。
【００３０】
移動規制体によって引出位置への移動が規制されたときのトレイの移動量を、駆動モーターによって移動されるトレイの移動量より大きくすることにより、駆動モーターに対して移動規制体による負荷が生じない。
【００３１】
上記したまた別の電子機器において、前記パネルの取付部として取付孔を形成することが望ましい。
【００３２】
パネルの取付部として取付孔を形成することにより、取付部がパネルから引出位置側へ突出されない。
【００３３】
上記したまた別の電子機器において、前記機器本体の連結部として連結孔を形成することが望ましい。
【００３４】
機器本体の連結部として連結孔を形成することにより、連結部がパネルから引出位置側へ突出されない。
【発明の効果】
【００３５】
本発明ディスクドライブ装置は、トレイ挿脱口を有する装置本体と、前記装置本体から引き出された引出位置と前記装置本体に収納された収納位置との間で前記装置本体に対して移動されると共にディスク状記録媒体が装着されるトレイと、前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、前記装置本体に連結され前記パネルの挿通部から前記引出位置側へ突出可能とされると共に前記挿通部から前記引出位置側へ突出された状態において移動規制体が取り付けられる連結部材とを備え、前記移動規制体によって前記トレイの前記収納位置から前記引出位置への移動が規制されて前記トレイに対する前記ディスク状記録媒体の取出及び装着が不能とされるようにしている。
【００３６】
従って、トレイの引出位置側への移動が規制されトレイに装着されたディスク状記録媒体の盗難及びトレイへの不必要なディスク状記録媒体の装着を防止することができる。
【００３７】
請求項２に記載した発明にあっては、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくしている。
【００３８】
従って、移動規制体によってトレイの引出位置側への移動が規制されたときに、駆動モーターに負荷がかかることがなく、負荷によって生じる駆動モーターの故障や動作不良を防止することができる。
【００３９】
請求項３に記載した発明にあっては、前記連結部材を前記トレイの移動方向と同じ方向へ移動可能とし、前記連結部材を前記パネルの挿通部から前記引出位置側へ突出されない非突出位置と前記挿通部から前記引出位置側へ突出される突出位置との間で移動させるようにしている。
【００４０】
従って、移動規制体の取付が必要ない場合には、連結部材がパネルから引出位置側へ突出しないため、ディスクドライブ装置に設けられた釦等に対する操作時に連結部材が邪魔になることがなく操作性の向上を図ることができると共に手との接触による連結部材の破損を防止することができる。
【００４１】
別の本発明ディスクドライブ装置は、トレイ挿脱口と連結部を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記装置本体の連結部と前記トレイの取付部とが移動規制体によって連結され、前記移動規制体によって前記トレイの前記収納位置から前記引出位置への移動が規制されて前記トレイに対する前記ディスク状記録媒体の取出及び装着が不能とされるようにしている。
【００４２】
従って、トレイの引出位置側への移動が規制されトレイに装着されたディスク状記録媒体の盗難及びトレイへの不必要なディスク状記録媒体の装着を防止することができる。
【００４３】
請求項５に記載した発明にあっては、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくしている。
【００４４】
従って、移動規制体によってトレイの引出位置側への移動が規制されたときに、駆動モーターに負荷がかかることがなく、負荷によって生じる駆動モーターの故障や動作不良を防止することができる。
【００４５】
請求項６に記載した発明にあっては、前記パネルの取付部として取付孔を形成している。
【００４６】
従って、ディスクドライブ装置に設けられた釦等に対する操作時に取付部が邪魔になることがなく操作性の向上を図ることができると共に手との接触による取付部の破損を防止することができる。
【００４７】
本発明電子機器は、機器本体と該機器本体に組み付けられたディスクドライブ装置とを備え、前記ディスクドライブ装置が、トレイ挿脱口を有する装置本体と、前記装置本体から引き出された引出位置と前記装置本体に収納された収納位置との間で前記装置本体に対して移動されると共にディスク状記録媒体が装着されるトレイと、前記トレイの移動方向に貫通された挿通部を有すると共に前記トレイにおける前記引出位置側の端部に取り付けられ前記トレイが前記収納位置に移動されたときに前記トレイ挿脱口を閉塞するパネルと、前記装置本体に連結され前記パネルの挿通部から前記引出位置側へ突出可能とされると共に前記挿通部から前記引出位置側へ突出された状態において移動規制体が取り付けられる連結部材とを備え、前記移動規制体によって前記トレイの前記収納位置から前記引出位置への移動が規制されて前記トレイに対する前記ディスク状記録媒体の取出及び装着が不能とされるようにしている。
【００４８】
従って、トレイの引出位置側への移動が規制されトレイに装着されたディスク状記録媒体の盗難及びトレイへの不必要なディスク状記録媒体の装着を防止することができる。
【００４９】
別の本発明電子機器は、機器本体と該機器本体に組み付けられたディスクドライブ装置とを備え、前記ディスクドライブ装置が、トレイ挿脱口と連結部を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記装置本体の連結部と前記パネルの取付部とが移動規制体によって連結され、前記移動規制体によって前記トレイの前記収納位置から前記引出位置への移動が規制されて前記トレイに対する前記ディスク状記録媒体の取出及び装着が不能とされるようにしている。
【００５０】
従って、トレイの引出位置側への移動が規制されトレイに装着されたディスク状記録媒体の盗難及びトレイへの不必要なディスク状記録媒体の装着を防止することができる。
【００５１】
また別の本発明電子機器は、連結部が設けられた機器本体と該機器本体に組み付けられたディスクドライブ装置とを備え、前記ディスクドライブ装置が、トレイ挿脱口を有する装置本体と、前記装置本体から引き出された引出位置と前記装置本体に収納された収納位置との間で前記装置本体に対して移動されると共にディスク状記録媒体が装着されるトレイと、取付部を有すると共に前記トレイにおける前記引出位置側の端部に取り付けられ前記トレイが前記収納位置に移動されたときに前記トレイ挿脱口を閉塞するパネルとを備え、前記機器本体の連結部と前記パネルの取付部とが移動規制体によって連結され、前記移動規制体によって前記トレイの前記収納位置から前記引出位置への移動が規制されて前記トレイに対する前記ディスク状記録媒体の取出及び装着が不能とされるようにしている。
【００５２】
従って、トレイの引出位置側への移動が規制されトレイに装着されたディスク状記録媒体の盗難及びトレイへの不必要なディスク状記録媒体の装着を防止することができる。
【００５３】
請求項１０に記載した発明にあっては、前記装置本体に前記トレイを前記収納位置から前記引出位置へ向けて移動させる駆動モーターを設け、前記駆動モーターによって移動される前記トレイの移動量が前記収納位置から前記引出位置までの移動量より小さくされ、前記移動規制体によって前記収納位置から前記引出位置への移動が規制されたときの前記トレイの移動量を、前記駆動モーターによって移動される前記トレイの移動量より大きくしている。
【００５４】
従って、移動規制体によってトレイの引出位置側への移動が規制されたときに、駆動モーターに負荷がかかることがなく、負荷によって生じる駆動モーターの故障や動作不良を防止することができる。
【００５５】
請求項１１に記載した発明にあっては、前記パネルの取付部として取付孔を形成している。
【００５６】
従って、ディスクドライブ装置に設けられた釦等に対する操作時に取付部が邪魔になることがなく操作性の向上を図ることができると共に手との接触による取付部の破損を防止することができる。
【００５７】
請求項１２に記載した発明にあっては、前記機器本体の連結部として連結孔を形成している。
【００５８】
従って、ディスクドライブ装置に設けられた釦等に対する操作時に連結部が邪魔になることがなく操作性の向上を図ることができると共に手との接触による連結部の破損を防止することができる。
【発明を実施するための最良の形態】
【００５９】
以下に、本発明ディスクドライブ装置及び電子機器の最良の形態を添付図面に従って説明する。以下に示した最良の形態は、本発明電子機器をパーソナルコンピューターに適用し、本発明ディスクドライブ装置をこのパーソナルコンピューターに備えられたディスクドライブ装置に適用したものである。
【００６０】
尚、本発明電子機器及びディスクドライブ装置の適用範囲は、パーソナルコンピューター及びこれに備えられたディスクドライブ装置に限られることはない。本発明電子機器は、ディスク状記録媒体を扱う各種の電子機器、例えば、ゲーム機器、ＰＤＡ（Personal Digital Assistant）等の情報端末装置、スチルカメラや電子カメラやビデオカメラ等の撮像装置、各種のディスク状記録媒体を扱う記録用の機器や音響機器等に広く適用することができる。また、本発明ディスクドライブ装置は、これらの各種の電子機器において扱われるディスク状記録媒体について情報信号の記録若しくは再生又はこれらの双方を行うディスクドライブ装置に広く適用することができる。
【００６１】
電子機器（パーソナルコンピューター）１は、例えば、機器本体２と該機器本体２に回動自在に支持されたディスプレイ装置３とを備え、機器本体２に所要の操作キーが配置されたキーボード４が設けられている（図１及び図２参照）。
【００６２】
尚、電子機器１は、例えば、機器本体とキーボード装置が別体で設けられた所謂デスクトップ型の機器であってもよい。
【００６３】
機器本体２にはディスクドライブ装置５が内蔵された状態で組み付けられている。ディスクドライブ装置５は扁平な略矩形状に形成され、装置本体６と該装置本体６に対してスライド可能（引出可能及び収納可能）とされたトレイ７とを備えている。
【００６４】
尚、以下のディスクドライブ装置５の説明においては、説明の便宜上、トレイ７が装置本体６から引き出される方向を前方とし、トレイ７が装置本体６に収納される方向を後方として上下前後左右の向きを規定する。
【００６５】
装置本体６の前面には横長の矩形状に形成されたトレイ挿脱口６ａが形成されている。
【００６６】
ディスクドライブ装置５は、トレイ７が装置本体６に収納された収納位置（図１参照）とトレイ７が装置本体６から引き出された引出位置（図２参照）との間で移動される。引出位置においては、トレイ７に対するディスク状記録媒体１００に対する装着及び取出を行うことができる。
【００６７】
トレイ７には上方に開口された浅い載置用凹部７ａが形成され、該載置用凹部７ａにディスク状記録媒体１００が載置されて装着される。トレイ７には載置用凹部７ａの中央部に上下に貫通された突部挿通孔７ｂが形成されている。ディスクドライブ装置５にあっては、突部挿通孔７ｂに装置本体６に配置された図示しないディスクテーブルのセンターリング突部が下方から挿入され、ディスク状記録媒体１００の中心孔１００ａにセンターリング突部が下方から挿入されてディスク状記録媒体１００がディスクテーブルにチャッキングされる。
【００６８】
トレイ７の前端部には横長の矩形状に形成されたパネル８が取り付けられ、該パネル８は外形が装置本体６に形成されたトレイ挿脱口６ａより僅かに小さくされている。パネル８にはトレイ用釦９が配置されている。パネル８の長手方向における一方の端部には前後に貫通された挿通孔８ａが形成されている。
【００６９】
収納位置においてトレイ用釦９が操作されると、トレイ７が装置本体６に対して前方へ移動されて引出位置に至り（図２参照）、引出位置においてトレイ用釦９が操作されると、トレイ７が装置本体６に対して後方へ移動されて収納位置に至る（図１参照）。トレイ７が収納位置に移動された状態においては、装置本体６に形成されたトレイ挿脱口６ａがパネル８によって閉塞される。
【００７０】
トレイ７は、例えば、装置本体６に配置された図示しない駆動モーターの駆動力によって前後方向へ移動される。
【００７１】
装置本体６には連結部材１０が前後方向へ移動可能な状態で連結されている（図３及び図４参照）。連結部材１０は、例えば、後方に開口されたＵ字状に形成され、半円形状の先端部１０ａと該先端部１０ａの両端からそれぞれ後方へ突出された直線部１０ｂ、１０ｂとが一体に形成されて成る。
【００７２】
連結部材１０はパネル８の挿通孔８ａを挿通可能な位置に配置されている。挿通孔８ａは連結部材１０が挿通される挿通部として機能する。尚、挿通部として挿通孔８ａに代えて挿通用の切欠が形成されていてもよい。
【００７３】
連結部材１０は挿通孔８ａから前方へ突出されない非突出位置（図３参照）とトレイ７が収納位置にある状態において挿通孔８ａから前方へ突出される突出位置（図４参照）との間で移動可能とされている。連結部材１０の非突出位置と突出位置の間の移動は、例えば、パネル８又は電子機器１の機器本体２に設けられた図示しない操作釦を操作することによって行われる。
【００７４】
尚、連結部材１０は装置本体６に固定されていてもよく、この場合にはトレイ７が収納位置にある状態において、連結部材１０が常に突出位置にあればよい。
【００７５】
突出位置にある連結部材１０には移動規制体１１が取付可能とされている。移動規制体１１としては、例えば、金属材料によって形成されたワイヤー状の部材が用いられる（図５及び図６参照）。
【００７６】
移動規制体１１は、例えば、一端部に環状に形成された環状部１１ａを有し、該環状部１１ａ以外の部分が線状部１１ｂとして設けられている。
【００７７】
移動規制体１１は線状部１１ｂが連結部材１０の先端部１０ａに挿通され、次いで、線状部１１ｂが環状部１１ａに挿通されることにより連結部材１０に取り付けられる（図５参照）。移動規制体１１は線状部１１ｂにおける環状部１１ａと反対側の端部が、例えば、電子機器１に設けられた図示しない固定部や電子機器１が載置されている机等に設けられた図示しない固定部に固定される。
【００７８】
上記のように移動規制体１１が連結部材１０に取り付けられた状態において、トレイ用釦９が操作されてトレイ７が収納位置から引出位置へ向けて前方へ移動されたときに、トレイ７は移動規制体１１によって前方への移動が規制され収納位置から一定の規制移動量だけしか引出位置側へ移動されない（図６参照）。
【００７９】
トレイ７が規制移動量だけ引出位置側へ移動された状態においては、トレイ７からディスク状記録媒体１００を取り出すことができない状態とされ、また、トレイ７にディスク状記録媒体１００を装着することもできない状態とされている。
【００８０】
ディスクドライブ装置５にあっては、トレイ７の規制移動量が駆動モーターによって移動されるトレイ７の移動量より大きくされている。従って、移動規制体１１によってトレイ７の引出位置側への移動が規制されたときに、駆動モーターに負荷がかかることがなく、負荷によって生じる駆動モーターの故障や動作不良を防止することができる。
【００８１】
尚、上記には、ワイヤー状の移動規制体１１を用いてトレイ７の引出位置側への移動を規制する例を示したが、例えば、図７及び図８に示すように、南京錠である移動規制体１１Ａを用いてトレイ７の引出位置側への移動を規制することも可能である。
【００８２】
移動規制体１１Ａを用いた場合には、図７に示すように、連結部材１０が突出位置にある状態において移動規制体１１Ａを連結部材１０に取り付けることによりトレイ７の引出位置側への移動を規制することができる。即ち、移動規制体１１Ａを用いた場合には、パネル８の挿通孔８ａに移動規制体１１Ａが入り込んでしまうおそれがないため、移動規制体１１Ａを連結部材１０に取り付けるだけでトレイ７の引出位置側への移動を規制することができる（図８参照）。
【００８３】
このように移動規制体１１Ａを用いた場合には、連結部材１０に移動規制体１１Ａを取り付けるだけでトレイ７の引出位置側への移動を規制することができるため、トレイ７の移動の規制を簡単な作業によって行うことができる。
【００８４】
また、連結部材１０の装置本体６に対する連結位置は任意に設定することが可能であり、例えば、図９に示すように、装置本体６の側面部に連結部材１０が連結されていてもよい。
【００８５】
以上に記載した通り、ディスクドライブ装置５にあっては、装置本体６に連結され移動規制体１１、１１Ａが取り付けられる連結部材１０を設けているため、トレイ７の引出位置側への移動が規制されトレイ７に装着されたディスク状記録媒体１００の盗難及びトレイ７への不必要なディスク状記録媒体１００の装着を防止することができる。
【００８６】
また、連結部材１０がパネル８の挿通孔８ａから引出位置側へ突出されない非突出位置と挿通孔８ａから引出位置側へ突出される突出位置との間で移動可能とされているため、移動規制体１１、１１Ａの取付が必要ない場合には、連結部材１０を非突出位置に移動させることができる。
【００８７】
従って、移動規制体１１、１１Ａの取付が必要ない場合には、連結部材１０がパネル８から引出位置側へ突出しないため、トレイ用釦９に対する操作時に連結部材１０が邪魔になることがなく操作性の向上を図ることができると共に手との接触による連結部材１０の破損を防止することができる。
【００８８】
上記には、装置本体６に連結部材１０を連結しトレイ７のパネル８に連結部材１０が挿通される挿通孔８ａが形成された例を示したが、以下に示すディスクドライブ装置５Ａのように、装置本体６に連結部を設けパネル８に取付部を設けることにより、トレイ７の引出位置側への移動を規制することも可能である（図１０及び図１１参照）。
【００８９】
ディスクドライブ装置５Ａには装置本体６Ａの側面部に、例えば、前方へ突出され機器本体２から外方へ突出された連結部１２が設けられている。連結部１２は、例えば、円弧状に形成されている。
【００９０】
パネル８Ａには、連結部１２が位置する側の端部に取付部１３が設けられている（図１０参照）。取付部１３は、例えば、左右に離隔して位置する二つの取付孔１３ａ、１３ａによって構成されている。
【００９１】
このように構成されたディスクドライブ装置５Ａにおいて、連結部１２と取付部１３が移動規制体１１Ｂによって連結される。移動規制体１１Ｂは、例えば、ワイヤー部１１ｃと該ワイヤー部１１ｃの両端部が固定されるロック部１１ｄとから成り、ワイヤー部１１ｃの一端部がロック部１１ｄに着脱可能とされている。連結部１２と取付部１３は移動規制体１１Ｂのワイヤー部１１ｃによって連結され、トレイ７の引出位置側への移動が規制される。
【００９２】
上記には、二つの取付孔１３ａ、１３ａによって構成された取付部１３を例として示したが、例えば、図１１に示すように、パネル８Ａには取付部１３に代えて前方へ突出された取付部１３Ａを設けるようにしてもよい。取付部１３Ａは、例えば、円弧状に形成されている。
【００９３】
このように連結部１２と取付部１３、１３Ａを設けた場合にも、トレイ７の引出位置側への移動が規制されトレイ７に装着されたディスク状記録媒体１００の盗難及びトレイ７への不必要なディスク状記録媒体１００の装着を防止することができる。
【００９４】
また、取付部１３のように取付孔１３ａ、１３ａによって構成することにより、取付部１３がパネル８Ａから引出位置側へ突出しないため、トレイ用釦９に対する操作時に取付部１３が邪魔になることがなく操作性の向上を図ることができると共に手との接触による取付部１３の破損を防止することができる。
【００９５】
尚、ディスクドライブ装置５Ａにおいても、トレイ７の規制移動量が駆動モーターによって移動されるトレイ７の移動量より大きくされている。従って、移動規制体１１Ｂによってトレイ７の引出位置側への移動が規制されたときに、駆動モーターに負荷がかかることがなく、負荷によって生じる駆動モーターの故障や動作不良を防止することができる。
【００９６】
上記には、装置本体６に連結部材１０を連結し、又は、装置本体６Ａに連結部１２を設けた例を示したが、以下に示す電子機器１Ｃのように、機器本体２Ｃに連結部を設けパネル８Ｃに取付部を設けることにより、トレイ７の引出位置側への移動を規制することも可能である（図１２及び図１３参照）。
【００９７】
電子機器１Ｃには機器本体２Ｃに前方へ突出された連結部１４が設けられている（図２参照）。連結部１４は、例えば、円弧状に形成されている。
【００９８】
ディスクドライブ装置５Ｃのパネル８Ｃには、連結部１４が位置する側の端部に前方へ突出された取付部１５が設けられている。取付部１５は、例えば、円弧状に形成されている。
【００９９】
このように構成された電子機器１Ｃにおいて、連結部１４と取付部１５が移動規制体１１Ｂによって連結され、トレイ７の引出位置側への移動が規制される。
【０１００】
このように連結部１４と取付部１５を設けた場合にも、トレイ７の引出位置側への移動が規制されトレイ７に装着されたディスク状記録媒体１００の盗難及びトレイ７への不必要なディスク状記録媒体１００の装着を防止することができる。
【０１０１】
尚、上記には、前方へ突出された取付部１５を例として示したが、例えば、取付部１５に代えて、取付部１３と同様の二つの取付孔によって構成される取付部を設けるようにしてもよい。二つの取付孔によって構成された取付部を設けることにより、取付部がパネル８Ｃから引出位置側へ突出しないため、トレイ用釦９に対する操作時に取付部が邪魔になることがなく操作性の向上を図ることができると共に手との接触による取付部の破損を防止することができる。
【０１０２】
また、前方へ突出された連結部１４に代えて二つの連結孔によって構成される連結部を設けるようにしてもよい。二つの連結孔によって構成された連結部を設けることにより、連結部がパネル８Ｃから引出位置側へ突出しないため、トレイ用釦９に対する操作時に連結部が邪魔になることがなく操作性の向上を図ることができると共に手との接触による連結部の破損を防止することができる。
【０１０３】
さらに、電子機器１Ｃにおけるディスクドライブ装置５Ｃにおいても、トレイ７の規制移動量が駆動モーターによって移動されるトレイ７の移動量より大きくされている。従って、移動規制体１１Ｂによってトレイ７の引出位置側への移動が規制されたときに、駆動モーターに負荷がかかることがなく、負荷によって生じる駆動モーターの故障や動作不良を防止することができる。
【０１０４】
さらにまた、電子機器１Ｃにあっては、機器本体２の異なる位置に複数の連結部１４、１４、・・・を設け、何れかの連結部１４と取付部１５を移動規制体１１Ｂによって連結し、トレイ７の引出位置側への移動を規制することも可能である。
【０１０５】
尚、上記には、トレイ７の引出位置側への移動を規制するために用いられる移動規制体の例として移動規制体１１、１１Ａ、１１Ｂを示したが、移動規制体は上記した移動規制体１１、１１Ａ、１１Ｂに限られることはない。例えば、移動規制体として、ダイヤル錠の他、指紋やＵＳＢ（Universal Serial Bus）等による認証機能を有する鍵を用いることも可能である。また、これらの移動規制体は任意の形状を有するものを用いることができる。
【０１０６】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０７】
【図１】図２乃至図１３と共に本発明を実施するための最良の形態を示すものであり、本図はトレイが収納位置にある状態を示す電子機器の斜視図である。
【図２】トレイが引出位置にある状態を示す電子機器の斜視図である。
【図３】連結部材が非突出位置にある状態を示す拡大斜視図である。
【図４】連結部材が突出位置にある状態を示す拡大斜視図である。
【図５】突出位置にある連結部材に移動規制体が取り付けられた状態を示す拡大斜視図である。
【図６】トレイの引出位置側への移動が移動規制体によって規制された状態を示す拡大斜視図である。
【図７】突出位置にある連結部材に別の移動規制体が取り付けられた状態を示す拡大斜視図である。
【図８】トレイの引出位置側への移動が別の移動規制体によって規制された状態を示す拡大斜視図である。
【図９】連結部材が装置本体の側面部に連結されているディスクドライブ装置を示す拡大斜視図である。
【図１０】装置本体に連結部が設けられパネルに取付部が設けられたディスクドライブ装置を示す拡大斜視図である。
【図１１】装置本体に連結部が設けられパネルに別の取付部が設けられたディスクドライブ装置を示す拡大斜視図である。
【図１２】機器本体に連結部が設けられパネルに取付部が設けられた電子機器において、移動規制体が取り付けられた状態を示す拡大斜視図である。
【図１３】機器本体に連結部が設けられパネルに取付部が設けられた電子機器において、トレイの引出位置側への移動が移動規制体によって規制された状態を示す拡大斜視図である。
【符号の説明】
【０１０８】
１…電子機器、２…機器本体、５…ディスクドライブ装置、６…装置本体、６ａ…トレイ挿脱口、７…トレイ、８…パネル、８ａ…挿通孔（挿通部）、１０…連結部材、１１…移動規制体、１１Ａ…移動規制体、５Ａ…ディスクドライブ装置、６Ａ…装置本体、８Ａ…パネル、１２…連結部、１３…取付部、１３ａ…取付孔、１１Ｂ…移動規制体、１３Ａ…取付部、１Ｃ…電子機器、２Ｃ…機器本体、５Ｃ…ディスクドライブ装置、８Ｃ…パネル、１４…連結部、１５…取付部、１００…ディスク状記録媒体
【図１】
2011040113.tif 000003
【図２】
2011040113.tif 000004
【図３】
2011040113.tif 000005
【図４】
2011040113.tif 000006
【図５】
2011040113.tif 000007
【図６】
2011040113.tif 000008
【図７】
2011040113.tif 000009
【図８】
2011040113.tif 000010
【図９】
2011040113.tif 000011
【図１０】
2011040113.tif 000012
【図１１】
2011040113.tif 000013
【図１２】
2011040113.tif 000014
【図１３】
2011040113.tif 000015